(57)【要約】【課題】エラーの発生を低減させるためのコモン電圧の設定回路及びその設定方法を提供する。【解決手段】表示パネル１１３に用いるコモン電圧の設定回路は、分圧回路１２０、結合器１０９、スイッチ１１１及びテストモジュール１１７を備える。分圧回路１２０は、入力されたＤＣバイアスを分圧比で分圧してコモン電圧を出力する。結合器１０９は、分圧回路１２０から出力されるコモン電圧を入力する正入力端子を有しており、該結合器の出力端子と負入力端子とを互いに接続する。スイッチ１１１は、制御信号に従って、結合器１０９から出力されるコモン電圧を表示パネルに送るか否かを決定する。テストモジュール１１７は、表示パネル１１３内の全てのデータ線へ定電圧を送り、表示パネル１１３の走査信号期間及びフレームの切換比を固定し、表示パネル１１３のキックバック電圧を測定する。【選択図】図１
2007140475.tif 000002
【特許請求の範囲】
【請求項１】
分圧回路、結合器、スイッチ及びテストモジュールを備えた、表示パネルに用いるコモン電圧の設定回路であって、
分圧比を基に、入力されたＤＣバイアスを分圧して前記コモン電圧を生成する前記分圧回路と、
前記分圧回路から出力された前記コモン電圧を入力する正入力端子を有し、出力端子と負入力端子とが互いに接続された前記結合器と、
制御信号に基づいて、前記結合器から出力された前記コモン電圧を前記表示パネルに送るか否かを決定する前記スイッチと、
前記表示パネル内の全てのデータ線に定電圧を送り、前記表示パネルの走査信号期間及びフレームの切換比を固定し、前記表示パネルのキックバック電圧を測定する前記テストモジュールと、を備え、
前記テストモジュールは、前記キックバック電圧を基に、前記分圧比を調整し、前記コモン電圧のレベルが前記キックバック電圧のレベルに等しくなると、前記テストモジュールが前記制御信号を生成し、前記スイッチをオンにすることを特徴とするコモン電圧の設定回路。
【請求項２】
前記分圧回路が、第１の抵抗器、可変抵抗器、第２の抵抗器及び第３の抵抗器を備えるとともに、
前記第１の抵抗器は、接地された第１の端子を有し、
前記可変抵抗器は、前記第１の抵抗器の第２の端子に接続された第１の端子と、前記可変抵抗器の第２の端子が前記テストモジュール及び前記結合器の正入力端子に接続された中央端子と、を有しており、
前記第２の抵抗器は、前記可変抵抗器の前記第２の端子に接続された前記第１の端子を有し、
前記第３の抵抗器は、前記第２の抵抗器の前記第２の端子に接続された第１の端子と、前記ＤＣバイアスが入力される第２の端子と、を有しており、
前記テストモジュールが、前記表示パネルの出力を基に、前記可変抵抗器の抵抗値を決定することを特徴とする請求項１に記載のコモン電圧の設定回路。
【請求項３】
前記表示パネルがアクティブマトリクス表示パネルであることを特徴とする請求項１に記載のコモン電圧の設定回路。
【請求項４】
表示パネルに用いるコモン電圧の設定方法であって、
定電圧を前記表示パネル内の全てのデータ線に送る工程と、
前記表示パネルの走査信号期間を固定する工程と、
前記表示パネルのフレームの切換比を固定する工程と、
前記表示パネルのキックバック電圧を測定する工程と、
前記コモン電圧のレベルを前記キックバック電圧のレベルに等しくなるように自動的に調整する工程と、
前記工程で調整された前記コモン電圧を前記表示パネルに送る工程と、を含むことを特徴とするコモン電圧の設定方法。
【請求項５】
前記コモン電圧を生成する工程は、
ＤＣバイアスを入力するステップと、
前記ＤＣバイアスを分圧して前記コモン電圧を生成するステップと、を含むことを特徴とする請求項４に記載のコモン電圧の設定方法。
【発明の詳細な説明】
【技術分野】
【０００１】
本発明は電圧の設定回路及びその設定方法に関し、特に表示パネルのコモン電圧の設定回路及びその設定方法に関する。
【背景技術】
【０００２】
一般に、平面型表示パネルは、アクティブマトリクス基板、対向基板及びそれら二つの基板間に配置された液晶層からなる。アクティブマトリクス基板は、基板と、該基板上にアレイ状に配列されている複数の画素構造と、複数の走査線及び複数のデータ線を含む。前述の画素構造は、主に薄膜トランジスタ、画素電極及び蓄積容量からなる。一般に、走査線及びデータ線は、対応する画素構造に対して走査信号電圧及びデータ電圧をそれぞれ送信するため、液晶表示パネルは表示機能を達成することができる。
【０００３】
表示パネル内の走査線とデータ線との交点位置には、薄膜トランジスタが配置される。薄膜トランジスタのソースは、対応するデータ線に接続され、また、薄膜トランジスタのゲートは、対応する走査線に接続され、そして、薄膜トランジスタのドレインは、並列に接続された蓄積容量及び画素電極を介してコモン電圧に接続されている。
【０００４】
一般に、表示パネルにおいて列方向の走査を行う時に、薄膜トランジスタのゲートとドレインとの間の寄生容量Ｃｇｄは、ドレインの電圧に影響を与え、画素電極の駆動電圧の電圧レベルを下げることがあり、この急激な電圧低下は「キックバック電圧」と呼ばれる。そして、このキックバック電圧は、表示パネルのフレーム品質に悪影響を及ぼす。従来技術では、このキックバック電圧を減らすために、画像を手作業により検視し、コモン電圧のレベルをキックバック電圧のレベルにまで調整していた。
【０００５】
しかし、検視する者の視覚認識がそれぞれ異なる上に、手作業による調整は効率が悪く、検視者毎に誤差が生じることが問題となる。
【発明の開示】
【発明が解決しようとする課題】
【０００６】
本発明の目的は、効率の悪い手作業による調整を改善し、エラーを低減させるための、コモン電圧の設定回路及びその設定方法を提供することにある。
【課題を解決するための手段】
【０００７】
本発明は、表示パネルに用いるコモン電圧の設定回路を提供する。本発明のコモン電圧の設定回路は、分圧回路、結合器、スイッチ及びテストモジュールを備える。分圧回路は、分圧比を基に、入力されたＤＣバイアスを分圧してコモン電圧を生成する。結合器は、分圧回路から出力されたコモン電圧を入力する正入力端子を有し、当該結合器の出力端子と負入力端子とが互いに接続される。スイッチは、制御信号を基に、結合器から出力されたコモン電圧を表示パネルへ送るか否かを決定する。そして、テストモジュールは、表示パネル内の全てのデータ線に定電圧を送り、表示パネルの走査信号期間及びフレームの切換比を固定し、表示パネルのキックバック電圧を測定する。
【０００８】
その後、テストモジュールは、キックバック電圧を基に、分圧比を調整する。コモン電圧のレベルがキックバック電圧のレベルに等しくなると、テストモジュールが制御信号を生成してスイッチをオンにし、コモン電圧を表示パネルに送る。
【０００９】
本発明の設定回路において、テストモジュールにはフィールド・プログラマブル・ゲート・アレイ（Ｆｉｅｌｄ  Ｐｒｏｇｒａｍｍａｂｌｅ  Ｇａｔｅ  Ａｒｒａｙ：ＦＰＧＡ）チップ及び表示モジュールを用いることができる。
【００１０】
本発明の分圧回路は、第１の抵抗器、可変抵抗器、第２の抵抗器及び第３の抵抗器を備える。第１の抵抗器は、接地された第１の端子を有する。可変抵抗器は、第１の抵抗器の第２の端子に接続された第１の端子と、可変抵抗器の第２の端子がテストモジュール及び結合器の正入力端子に接続された中央端子と、を有する。第２の抵抗器は、可変抵抗器の第２の端子に接続された第１の端子を有する。第３の抵抗器は、第２の抵抗器の第２の端子に接続された第１の端子と、ＤＣバイアス（例えば、−１５Ｖ）が入力される第２の端子と、を有する。そして、テストモジュールは、表示パネルの出力を基に、可変抵抗器の抵抗値を決定する。
【００１１】
本発明において、定電圧は接地電圧にしてもよい。そして、例えば、表示パネルの走査信号期間を３２μｓに設定し、表示パネルのフレームの切換比を２０ｍｓに設定してもよい。ここで、表示パネルの設定回路において、表示パネルはアクティブマトリクス表示パネルである。
【００１２】
本発明が提供するコモン電圧の設定方法を表示パネルに用いることができる。このコモン電圧の設定方法は、定電圧を表示パネル内の全てのデータ線に送る工程と、表示パネルの走査信号期間及びフレームの切換比を固定する工程と、表示パネルのキックバック電圧を測定する工程と、コモン電圧のレベルをキックバック電圧のレベルに等しくなるように自動的に調整する工程と、調整されたコモン電圧を表示パネルへ送る工程と、を含む。
【発明の効果】
【００１３】
本発明は、コモン電圧を、そのレベルがキックバック電圧のレベルに等しくなるように自動的に調整することができる。そのため、従来技術と比べて効率が大幅に向上し、検視する者の視覚認識の違いにより誤差が発生することを防ぐことができる。
【発明を実施するための最良の形態】
【００１４】
以下、本発明の実施形態を図面に基づいて説明する。
図１は、本発明の一実施形態によるコモン電圧の設定回路を示す回路図である。図１に示すように、本実施形態の回路は、分圧回路１２０、結合器１０９、スイッチ１１１及びテストモジュール１１７を含む。分圧回路１２０は、結合器１０９の正入力端子及びテストモジュール１１７に接続される。結合器１０９は、出力端子及び負入力端子が互いに接続され、それらの端子がスイッチ１１１を介して表示パネル１１３に接続される。スイッチ１１１は、テストモジュール１１７の出力に応じてオンされ又はオフされる。
【００１５】
本実施形態において、分圧回路１２０は、第１の抵抗器１０１、可変抵抗器１０３、第２の抵抗器１０５及び第３の抵抗器１０７を含む。第１の抵抗器１０１の第１の端子は接地され、第１の抵抗器１０１の第２の端子は、可変抵抗器１０３の第１の端子に接続される。可変抵抗器１０３は、それぞれ抵抗器１０１、１０５に接続される。また可変抵抗器１０３は、第２の抵抗器１０５及び結合器１０９の正入力端子に接続された中央端子を有する。さらに、第２の抵抗器１０５の第１の端子は、可変抵抗器１０３に接続され、第２の抵抗器１０５の第２の端子は、第３の抵抗器１０７を介してＤＣバイアスに接続される。本実施形態のＤＣバイアスは、−１５Ｖである。
【００１６】
本実施形態において、可変抵抗器１０３の抵抗値は、テストモジュール１１７により決定される。そのため、テストモジュール１１７は、可変抵抗器１０３の抵抗値を調整することにより分圧回路１２０の分圧比を変える。分圧回路１２０は、この分圧比を基にＤＣバイアスを分圧し、表示パネル１１３のコモン電圧線に必要なコモン電圧を生成し、このコモン電圧を結合器１０９の正入力端子に送る。
【００１７】
当業者なら分かるように、表示パネル１１３は、複数の走査線、データ線及びコモン電圧線を有する。走査線は、ゲートドライバ１１９に接続され、データ線は、ソースドライバ１２１に接続され、コモン電圧線は、表示パネル１１３内の各画素へコモン電圧を送る。その上、ゲートドライバ１１９及びソースドライバ１２１の動作はタイミングコントローラ１１５により制御される。タイミングコントローラ１１５は、ゲートドライバ１１９を制御して走査信号を生成し、それぞれ走査線を介して表示パネル１１３へ走査信号を送り、ソースドライバ１２１は、タイミングコントローラ１１５の出力を基に、表示パネル１１３内のデータ線（図示せず）のうちの一つを介して対応する画素へデータ電圧を送る。なお、表示パネルの構造は本発明の主旨ではなく、表示パネルの駆動技術は当業者であれば分かるため、ここでは詳述しない。
【００１８】
図１に示すように、本実施形態では、製造する際に表示パネルのコモン電圧を調整する場合、テストモジュール１１７が、タイミングコントローラ１１５を制御して定電圧を表示パネルの全てのデータ線へ送るようにしてもよい。この定電圧は、０Ｖ（接地電圧など）に設定してもよい。これはデータ線の出力全てを０Ｖに維持して表示パネルへ送り、走査線の全てを走査し続ける。続いて、テストモジュール１１７は、タイミングコントローラ１１５を制御し、表示パネル１１３の走査信号期間及びフレームの切換比を固定する。例えば、図３に示すように、走査信号期間を３２μｓ（マイクロ秒）に設定し、フレームの切換比を２０ｍｓに設定してもよい。
【００１９】
図３は、タイミングコントローラにより生成されたタイミングを示すタイミングチャート図である。図１及び図３に示すように、テストモジュール１１７は、上述の動作を行った後に、走査を２秒間行い、表示パネル１１３により、表示パネル１１３のキックバック電圧をテストモジュール１１７へ送るため、図３に示すΔＶのように、表示パネル１１３のキックバック電圧のレベルを得る。尚、他の実施形態では、テストモジュール１１７をフィールド・プログラマブル・ゲート・アレイ（Ｆｉｅｌｄ  Ｐｒｏｇｒａｍｍａｂｌｅ  Ｇａｔｅ  Ａｒｒａｙ：ＦＰＧＡ）で置き換えてもよい。また、本実施形態のテストモジュール１１７は、キックバック電圧のレベルを表示する表示モジュール１１８をさらに含む。
【００２０】
テストモジュール１１７によりキックバック電圧ΔＶを測定すると、分圧回路１２０の制御信号を生成して可変抵抗器１０３の抵抗値を調整し、分圧回路１２０により生成されたコモン電圧のレベルをキックバック電圧のレベルに等しくする。
【００２１】
テストモジュール１１７は、結合器１０９の出力端子の電圧レベルがキックバック電圧に等しいことを探知すると、テストモジュール１１７からスイッチ１１１へと制御信号を送ってスイッチ１１１をオンにし、結合器１０９から出力されたコモン電圧を表示パネル１１３のコモン電圧線へ送る。本実施形態において、コモン電圧のレベルは、キックバック電圧のレベルに等しくなるように調整されるため、表示パネル１１３の画質が変化することを防ぐことができる。
【００２２】
図２は、本発明の一実施形態によるコモン電圧の設定方法を示す流れ図である。先ず、ステップＳ２０１において、定電圧を表示パネルの全てのデータ線へ送る。続いて、ステップＳ２０５において、表示パネルの走査信号期間を固定する。また、ステップＳ２０３において、表示パネルのフレーム切換比を固定する。さらに、ステップＳ２０７において、表示パネルのキックバック電圧のレベルを測定する。そして、ステップＳ２０９において、コモン電圧のレベルを、キックバック電圧のレベルへ自動的に調整する。最後に、ステップＳ２１１において、コモン電圧を表示パネルへ送る。
【００２３】
本発明は、表示パネルに用いるコモン電圧の設定装置を提供する。本発明のコモン電圧の設定装置は、コモン電圧のレベルをキックバック電圧のレベルに等しくなるように自動的に調整することにより、表示パネルの表示画質を向上させることができる。また、本発明は手作業による補正が必要ないため、パネルのテスト効率を向上させ、人的コストを減らすこともできる。
【００２４】
本発明では好適な実施形態を前述の通り開示したが、これらは決して本発明を限定するものではなく、当該技術を熟知するものなら誰でも、本発明の主旨と領域を脱しない範囲内で各種の変更や修正を加えることができる。従って本発明の保護の範囲は、特許請求の範囲で指定した内容を基準とする。
【図面の簡単な説明】
【００２５】
【図１】本発明の一実施形態によるコモン電圧の設定回路を示す回路図である。
【図２】本発明の一実施形態によるコモン電圧の設定方法を示す流れ図である。
【図３】本発明の一実施形態によるタイミングコントローラにより生成されるタイミングを示すタイミングチャート図である。
【符号の説明】
【００２６】
１０１  第１の抵抗器
１０３  可変抵抗器
１０５  第２の抵抗器
１０７  第３の抵抗器
１０９  結合器
１１１  スイッチ
１１３  表示パネル
１１５  タイミングコントローラ
１１７  テストモジュール
１１８  表示モジュール
１１９  ゲートドライバ
１２０  分圧回路
１２１  ソースドライバ
【図１】
2007140475.tif 000003
【図２】
2007140475.tif 000004
【図３】
2007140475.tif 000005